(57)【特許請求の範囲】
【請求項１】
複数の被監視装置の監視制御を行うローカル監視装置及び該ローカル監視装置にネットワークを介して接続された集中監視装置で構成され、前記ローカル監視装置では第１のローカル監視画面を表示し、前記集中監視装置では第２のローカル監視画面及び集中監視画面を表示する複数階層管理システムであって、
前記ローカル監視装置は、前記ローカル監視装置用の第１の状態変化情報詳細テーブル及び前記集中監視装置用の第２の状態変化情報詳細テーブルを記憶する記憶手段と、被監視装置から通知された状態変化情報により前記第１の状態変化情報詳細テーブル及び前記第２の状態変化情報詳細テーブルを更新すると共に各画面に状態変化を反映させるよう通知する詳細イベント処理部を備え、
前記詳細イベント処理部は、前記ローカル監視装置にて確認操作が行われた場合では、前記第１の状態変化情報詳細テーブルから該当の状態変化情報を抹消すると共に前記第１のローカル監視画面に操作結果を反映させるよう通知し、また、前記集中監視装置にて確認操作が行われた場合では、前記第２の状態変化情報詳細テーブルから該当の状態変化情報を抹消すると共に前記第２のローカル監視画面及び前記集中監視画面に操作結果を反映させるよう通知することを特徴とする複数階層管理システム。
【請求項２】
前記集中監視装置は、前記第２のローカル監視画面又は前記集中監視画面に表示されていた状態変化情報に対して確認操作が行われた場合に、前記詳細イベント処理部に対して処理要求を行うことを特徴とする請求項１に記載の複数階層管理システム。
【請求項３】
前記ローカル監視装置は、前記第２のローカル監視画面に操作結果を反映させるためのローカル監視画面インタフェース部を更に備え、
前記集中監視装置は、前記集中監視画面に操作結果を反映させるための集中監視画面インタフェース部を更に備えていることを特徴とする請求項２に記載の複数階層管理システム。
【請求項４】
前記集中監視装置は、確認操作時に表示されていた状態変化情報の分類情報及び最後の通番を前記ローカル監視装置に通知することによって前記処理要求を行い、
前記ローカル監視装置は、前記状態変化情報に所定の分類毎に通番を付して管理しており、前記詳細イベント処理部は、通知された分類情報及び通番に基づいて、前記確認操作時に表示されていた状態変化情報を抹消することを特徴とする請求項２に記載の複数階層管理システム。
【請求項５】
状態変化に対する措置の緊急性に応じたランクである監視対象シビアリティが前記集中監視装置において保守者により指定された場合に、指定された監視対象シビアリティが設定される監視対象シビアリティ設定部を前期ローカル監視装置が更に備え、
前記詳細イベント処理部は、被監視装置から通知された状態変化情報のシビアリティが、前記監視対象シビアリティ設定部に設定された監視対象シビアリティ未満であった場合に、状態変化を反映させるための通知は前記集中監視装置に対して行わないことを特徴とする請求項１に記載の複数階層管理システム。
【請求項６】
前記ローカル監視装置は、被監視装置に対して前記ローカル監視装置から行われた設定制御の第１の操作履歴を記憶する第１の履歴部と、被監視装置に対して前記集中監視装置から行われた設定制御の第２の操作履歴を記憶する第２の履歴部とを更に備え、
前記集中監視装置は、前記第２の操作履歴を記憶する第３の履歴部を更に備えたことを特徴とする請求項１に記載の複数階層管理システム。
【請求項７】
複数の被監視装置の監視制御を行い第１のローカル監視画面を表示するローカル監視装置であって、
第２のローカル監視画面及び集中監視画面を表示する集中監視装置とネットワークを介して接続されており、
前記ローカル監視装置用の第１の状態変化情報詳細テーブル及び前記集中監視装置用の第２の状態変化情報詳細テーブルを記憶する記憶手段と、被監視装置から通知された状態変化情報により前記第１の状態変化情報詳細テーブル及び前記第２の状態変化情報詳細テーブルを更新すると共に各画面に状態変化を反映させるよう通知する詳細イベント処理部を備え、
前記詳細イベント処理部は、前記ローカル監視装置にて確認操作が行われた場合では、前記第１の状態変化情報詳細テーブルから該当の状態変化情報を抹消すると共に前記第１のローカル監視画面に操作結果を反映させるように通知し、また、前記集中監視装置にて確認操作が行われた場合では、前記第２の状態変化情報詳細テーブルから該当の状態変化情報を抹消すると共に前記第２のローカル監視画面及び前記集中監視画面に操作結果を反映させるよう通知することを特徴とするローカル監視装置。
【発明の詳細な説明】
【０００１】
【発明の属する技術分野】
本発明は、多数の通信装置で構成される大規模な通信システム等における被監視装置を監視制御し、かつそれらの状態を管理する集中監視装置及びローカル監視装置から成る複数階層管理システムに関する。
【０００２】
近年の通信システムは、標準化されたＳＤＨ（Ｓｙｎｃｈｒｏｎｏｕｓ  Ｄｉｇｉｔａｌ  Ｈｉｅｒａｒｃｈｙ）  通信網の普及により、通信ネットワーク構成が一層拡大され、さらに、従来のＰＤＨ（Ｐｌｅｓｉｏｃｈｒｏｎｏｕｓ  Ｄｉｇｉｔａｌ  Ｈｉｅｒａｒｃｈｙ）通信装置等を含む多種多様な通信装置とも相互接続され、急速にネットワークが大規模化、多様化している。
【０００３】
これに伴い、通信システムの各装置等を監視制御し、保守・管理する管理装置も、従来のように特定のエリアのみの被監視装置を管理するだけではなく、大規模通信システム全体の運用状態等を一元的に管理することができるシステム機能を具備することが要望されている。
【０００４】
一方で、管理装置の性能上の制約や拡張性の観点から、特定エリアの被監視装置を管理するローカル監視装置と、集約した情報を処理する集中監視装置とによる複数階層の管理システムが有効なものとして研究・検討されている。このような複数階層の管理システムにおいて、集中監視装置は集約情報の管理を行うだけでなく、集中監視装置からも各エリアの被監視装置の詳細情報を管理することができシステムの実現化が要望されている。
【０００５】
その理由としては、集中監視装置の保守者も重要度の高い情報については、どこの特定エリアでどのような事態がいつ発生したか等の詳細な情報を迅速にかつ確実に把握する必要があり、また、ローカル監視装置の保守者だけでは解決できないような障害が発生した場合や、各ローカル監視装置の保守者間で協調した作業が必要な場合等にそのサポートを迅速に行うために、集中監視装置ではローカル監視装置の保守者からの要請がある前に、不具合の起ったエリアに対してどのようなサポートが必要であるかを予測し、事前に準備することが必要になることがあるため、集中監視装置からでも、ローカル監視装置と同様に特定エリアの被監視装置の詳細な状態変化情報を把握、確認し、管理する必要がある。
【０００６】
【従来の技術】
図２９は複数階層管理システムの構成図である。被監視装置３１１〜３ｎｍは、広範囲（例えば全国）の各地に設置され、監視制御の対象となる装置であり、各種監視項目の状態変化を検出して監視情報を収集し、検出した状態変化情報をイベント通知としてローカル監視装置２１  〜２ｎ  にネットワーク５を介して送信し、またローカル監視装置２１  〜２ｎ  からの制御操作指令に従って各種制御処理を実行する装置である。
【０００７】
ローカル監視装置２１  〜２ｎ  は、それぞれ特定エリア内の被監視装置３１  〜３ｍ  の監視状態を管理し、該被監視装置３１  〜３ｍ  から送出されたイベント通知に従って、各特定エリア内の被監視装置３１  〜３ｍ  の監視状態を示すローカル監視画面２１１  〜２１ｎ  を表示・更新し、かつ、該ローカル監視画面２１１  〜２１ｎ  の情報を集中監視装置１にネットワーク４を介して送信し、また、特定エリア内の被監視装置３１  〜３ｍ  の状態変化情報を集約した集約イベント通知を、ネットワーク４を介して集中監視装置１へ送信する機能を備える。
【０００８】
集中監視装置１は全エリアの集中監視を行う監視装置であり、該集中監視装置１は、各ローカル監視装置２１  〜２ｎ  から受信した集約イベント通知に従って、全エリアの監視状態を反映する集中監視画面１１Ａを表示・更新する。
【０００９】
また、集中監視装置１は、全エリアの監視状態を反映する集中監視画面１１Ａのほかに、各ローカルエリアの被監視装置の詳細情報も監視することができるよう、ローカル監視装置２１  〜２ｎ  による画面表示機能を利用して、ローカル監視装置２１  〜２ｎ  で生成されたローカル監視画面２１１  〜２１ｎ  と同じローカル監視画面１１Ｂ１  〜１１Ｂｎ  を表示する機能も備えている。
【００１０】
このような複数階層管理システムとして、クライアントに集中監視装置１、サーバにローカル監視装置２１  〜２ｎ  を配置したサーバー・クライアント構成とし、ブラウザ等を用いて複数階層による管理を行うシステムが検討されている。
【００１１】
このような複数階層による管理システムは、被監視装置３１  〜３ｍ  に対する監視制御処理の実行機能を、サーバーのローカル監視装置２１  〜２ｎ  にだけ備えれば良いためシステム開発が比較的容易となり、開発リソースの面からも非常に効果的である。
【００１２】
また同様に、被監視装置３１  〜３ｍ  に対する監視制御処理の実行機能部分をローカル監視装置２１  〜２ｎ  だけに実装し、例えば、Ｘｗｉｎｄｏｗ等のマルチウィンドウ表示ソフトウェアによる操作表示機能をユーザ毎に提供するシステムを利用し、集中監視装置１はその一ユーザーとして遠隔からローカル監視装置２１  〜２ｎ  にアクセスする手法を採用しているものもある。
【００１３】
しかし、集中監視装置１とローカル監視装置２１  〜２ｎ  との双方から、個別に一つの被監視装置３１１〜３ｎｍの監視制御処理部を駆動して監視制御を行う場合、該被監視装置３１１〜３ｎｍからの状態変化通知に対する確認操作の操作結果の表示や操作記録等は、集中監視装置１からの操作によるものとローカル監視装置２１  〜２ｎ  からの操作によるものとで個別に行う必要が生じる。
【００１４】
【発明が解決しようとする課題】
集中監視装置１上にローカル監視画面１１Ｂ１  〜１１Ｂｎ  を表示する場合、その画面で表示される画面情報は、ローカル監視装置２１  〜２ｎ  内に保持されている画面情報であり、集中監視装置１上に表示されたローカル監視画面１１Ｂ１  〜１１Ｂｎ  から確認操作を行った場合には、該操作はローカル監視装置２１  〜２ｎ  にネットワーク４を介して伝えられ、ローカル監視装置２１  〜２ｎ  は、該操作に応じてローカル監視画面２１１  〜２１ｎ  を更新し、そして更新されたローカル監視画面２１１  〜２１ｎ  と同じ画面を、集中監視装置１に送出して集中監視装置１のローカル監視画面１１Ｂ１  〜１１Ｂｎ  の確認用の表示情報を更新する。
【００１５】
そのため、ローカル監視装置２１  〜２ｎ  の保守者は確認操作を行っていないにもかかわらず、ローカル監視装置２１  〜２ｎ  のローカル監視画面２１１  〜２１ｎ  は確認済みの表示に更新されてしまう等の問題があった。
【００１６】
反対に、ローカル監視装置２１  〜２ｎ  の保守者がローカル監視画面２１１  〜２１ｎ  で行った確認操作の操作結果が、集中監視装置１上に表示されるローカル監視画面１１Ｂ１  〜１１Ｂｎ  にも反映されてしまい、集中監視装置１の保守者が行っていない操作が、集中監視装置１上の画面に表示され、操作結果が正しく表示されないという問題があった。
【００１７】
また、集中監視装置１上に表示される集中監視画面１１Ａには、ローカル監視装置２１  〜２ｎ  で行った確認操作の操作結果が反映されないため、集中監視装置１上に表示される集中監視画面１１Ａとローカル監視画面１１Ｂ１  〜１１Ｂｎ  との間で操作結果の表示に不一致が生じていた。
【００１８】
本発明は、確認操作等の操作結果が実際に操作した監視装置の画面にのみ反映されるようにし、また、集中監視装置１に表示される集中監視画面１１Ａとローカル監視画面１１Ｂ１  〜１１Ｂｎ  との間で、操作結果の表示が一致（同期）する複数階層管理システムを提供することを目的とする。
【００１９】
また、保守者が状態変化情報を分類毎に分けて画面に表示した場合、受信した状態変化情報に通番を付して管理したとしても、保守者が確認操作を行った際には、分類種別によらず画面表示された情報の最後の通番までの全ての画面情報が確認済扱いとなり、機能や情報種別毎に部分的に確認することができなかった。本発明は、状態変化情報の分類毎に通番を管理し、保守者が情報の分類毎に確認操作を行うことができる複数階層管理システムを提供することを目的とする。
【００２０】
また、ローカル監視装置２１  〜２ｎ  で受信した被監視装置３１１〜３ｎｍの状態変化情報に関して、詳細情報までの全ての情報を表示しようとすると、膨大な情報量となることがある。そこで、各監視画面で表示する情報に何らかの制限を設けて絞り込んだとしても、ローカル監視装置２１  〜２ｎ  で保持され、表示される情報は、集中監視装置１で表示されるローカル監視画面１１Ｂ１  〜１１Ｂｎ  に常に反映されるため、ローカル監視装置２１  〜２ｎ  で設定した絞り込み用の制限は、集中監視装置１のローカル監視画面１１Ｂ１  〜１１Ｂｎ  に影響し、集中監視装置１のローカル監視画面１１Ｂ１  〜１１Ｂｎ  に表示される情報も同様に絞り込まれたものとなっていた。
【００２１】
反対に、集中監視装置１で設定した制限は、ローカル監視装置２１  〜２ｎ  が集中監視装置１に送出しているローカル監視画面１１Ｂ１  〜１１Ｂｎ  の情報には影響しないため、集中監視装置１で表示される集中監視画面１１Ａとローカル監視画面１１Ｂ１  〜１１Ｂｎ  とで絞り込み制限の不一致による表示情報の不一致が生じていた。
【００２２】
本発明は、保守者の設定により監視画面に表示する情報に制限を設定した場合、集中監視装置１で設定された制限は集中監視装置１内で表示される画面に反映され、ローカル監視装置２１  〜２ｎ  で設定された制限はローカル監視装置２１  〜２ｎ  内で表示される画面だけに反映され、集中監視装置１に表示される集中監視画面１１Ａとローカル監視画面１１Ｂ１  〜１１Ｂｎ  との間で表示情報の不一致を生じることなく、保守者が必要とする情報だけが画面に表示される複数階層管理システムを提供することを目的とする。
【００２３】
また、集中監視装置１のローカル監視画面１１Ｂ１  〜１１Ｂｎ  から操作して、ローカル監視装置２１  〜２ｎ  又は被監視装置３１１〜３ｎｍに対する制御操作を行い、ローカル監視装置２１  〜２ｎ  に該制御処理を実行させることができるが、該制御操作の記録情報はローカル監視装置２１  〜２ｎ  に記録され、集中監視装置１による操作記録としては記録されなかった。このため集中監視装置１で行った操作記録を確認することができないという問題が生じていた。
【００２４】
本発用は、集中監視装置１のローカル監視画面１１Ｂ１  〜１１Ｂｎ  上の操作から、ローカル監視装置２１  〜２ｎ  又は被監視装置３１１〜３ｎｍに対して行った制御操作の記録を、集中監視装置１の操作記録としても保存することができる複数階層管理システムを提供することを目的とする。
【００２５】
【課題を解決するための手段】
本発明の複数階層管理システムは、（１）複数の被監視装置の監視制御を行うローカル監視装置及び該ローカル監視装置にネットワークを介して接続された集中監視装置で構成され、前記ローカル監視装置では第１のローカル監視画面を表示し、前記集中監視装置では第２のローカル監視画面及び集中監視画面を表示する複数階層管理システムであって、前記ローカル監視装置は、前記ローカル監視装置用の第１の状態変化情報詳細テーブル及び前記集中監視装置用の第２の状態変化情報詳細テーブルを記憶する記憶手段と、被監視装置から通知された状態変化情報により前記第１の状態変化情報詳細テーブル及び前記第２の状態変化情報詳細テーブルを更新すると共に各画面に状態変化を反映させるよう通知する詳細イベント処理部を備え、前記詳細イベント処理部は、前記ローカル監視装置にて確認操作が行われた場合では、前記第１の状態変化情報詳細テーブルから該当の状態変化情報を抹消すると共に前記第１のローカル監視画面に操作結果を反映させるよう通知し、また、前記集中監視装置にて確認操作が行われた場合では、前記第２の状態変化情報詳細テーブルから該当の状態変化情報を抹消すると共に前記第２のローカル監視画面及び前記集中監視画面に操作結果を反映させるよう通知するものである。
【００２６】
また、（２）前記集中監視装置は、前記第２のローカル監視画面又は前記集中監視画面に表示されていた状態変化情報に対して確認操作が行われた場合に、前記詳細イベント処理部に対して処理要求を行うものである。
【００２７】
また、（３）前記ローカル監視装置は、前記第２のローカル監視画面に操作結果を反映させるためのローカル監視画面インタフェース部を更に備え、
前記集中監視装置は、前記集中監視画面に操作結果を反映させるための集中監視画面インタフェース部を更に備えているものである。
【００２８】
また、（４）前記集中監視装置は、確認操作時に表示されていた状態変化情報の分類情報及び最後の通番を前記ローカル監視装置に通知することによって前記処理要求を行い、前記ローカル監視装置は、前記状態変化情報に所定の分類毎に通番を付して管理しており、前記詳細イベント処理部は、通知された分類情報及び通番に基づいて、前記確認操作時に表示されていた状態変化情報を抹消するものである。
【００２９】
また、（５）状態変化に対する措置の緊急性に応じたランクである監視対象シビアリティが前記集中監視装置において保守者により指定された場合に、指定された監視対象シビアリティが設定される監視対象シビアリティ設定部を前期ローカル監視装置が更に備え、
前記詳細イベント処理部は、被監視装置から通知された状態変化情報のシビアリティが、前記監視対象シビアリティ設定部に設定された監視対象シビアリティ未満であった場合に、状態変化を反映させるための通知は前記集中監視装置に対して行わないことを特徴とするものである。
【００３０】
また、（６）前記ローカル監視装置は、被監視装置に対して前記ローカル監視装置から行われた設定制御の第１の操作履歴を記憶する第１の履歴部と、被監視装置に対して前記集中監視装置から行われた設定制御の第２の操作履歴を記憶する第２の履歴部とを更に備え、前記集中監視装置は、前記第２の操作履歴を記憶する第３の履歴部を更に備えたものである。
【００３１】
また、本発明のローカル監視装置は、（７）複数の被監視装置の監視制御を行い第１のローカル監視画面を表示するローカル監視装置であって、第２のローカル監視画面及び集中監視画面を表示する集中監視装置とネットワークを介して接続されており、前記ローカル監視装置用の第１の状態変化情報詳細テーブル及び前記集中監視装置用の第２の状態変化情報詳細テーブルを記憶する記憶手段と、被監視装置から通知された状態変化情報により前記第１の状態変化情報詳細テーブル及び前記第２の状態変化情報詳細テーブルを更新すると共に、各画面に状態変化を反映させるよう通知する詳細イベント処理部を備え、前記詳細イベント処理部は、前記ローカル監視装置にて確認操作が行われた場合では、前記第１の状態変化情報詳細テーブルから該当の状態変化情報を抹消すると共に前記第１のローカル監視画面に操作結果を反映させるよう通知し、また、前記集中監視装置にて確認操作が行われた場合では、前記第２の状態変化情報詳細テーブルから該当の状態変化情報を抹消すると共に前記第２のローカル監視画面及び前記集中監視画面に操作結果を反映させるよう通知するものである。
【００３３】
【発明の実施の形態】
図１は本発明の複数階層管理システムの基本構成図であり、該システムにおける主な機能部を示している。集中監視装置１は、全てのローカルエリアの監視状態を反映する集中監視画面１１Ａと各ローカルエリアの監視状態を個々に反映するローカル監視画面１１Ｂ１  〜１１Ｂｎ  とを表示する。
【００３４】
また、集中監視装置１は、集約イベント処理部１２と操作記録部１３とを備える。集約イベント処理部１２は、各ローカルエリア毎の監視状態と状態変化状況とを管理する機能を有し、各ローカル監視装置２１  〜２ｎ  からの集約された状態変化通知を受け、各ローカルエリアの監視状態の変化を検出し、その変化を集中監視画面１１Ａに反映させるため、集中監視画面表示アプレットに変化の通知を行う。操作記録部１３は集中監視装置１の保守者が行った制御操作や設定操作等の操作履歴を記録する機能を有する。
【００３５】
各ローカル監視装置２１  〜２ｎ  は、それぞれ、各監視区域（特定エリア）内の被監視装置３１  〜３ｍ  の状態を監視し、それらの監視状態を表すローカル監視画面２１１  〜２１ｎ  を表示する。
【００３６】
また、各ローカル監視装置２１  〜２ｎ  は、詳細イベント処理部２２と操作記録部２３と共通部２０とを備え、該詳細イベント処理部２２は、被監視装置３１  〜３ｍ  の状態変化を管理する状態変化情報詳細テーブルを、ローカル監視装置用と集中監視装置用とに二つ分けてそれぞれを独立に管理する。
【００３７】
集中監視装置用の状態変化情報詳細テーブル２２１は、集中監視装置１で表示するローカル監視画面用のテーブルとして備えられ、ローカル監視装置用の状態変化情報詳細テーブル２２２は、ローカル監視装置２１  〜２ｎ  で表示するローカル監視画面用のテーブルとして備えられる。
【００３８】
操作記録部２３は、各ローカル監視装置２１  〜２ｎ  で実行された制御操作や設定操作等の操作履歴を記録する機能を有し、集中監視装置用の操作履歴部２３１とローカル監視装置用の操作履歴部２３２とに分けて記録する。
【００３９】
上記の集中監視装置用の状態変化情報詳細テーブル２２１及びローカル監視装置用の状態変化情報詳細テーブル２２２の記憶手段は、物理的に分けて設けてもよいし、論理的に分けて設けても良い。また、集中監視装置用の操作履歴部２３１及びローカル監視装置用の操作履歴部２３２の記憶手段も同様に、物理的に分けて設けてもよいし、論理的に分けて設けても良い。
【００４０】
図２は本発明のローカル監視装置における監視画面と主機能部を示す。また、図３は本発明の集中監視装置における監視画面と主機能部を示す。なお、以下において各特定エリアのローカル監視装置２１  〜２ｎ  は、同一の構成を有するので、一つのローカル監視装置の構成について説明するものとし、符号のサフィックスは省略する。
【００４１】
ローカル監視装置２には、図２に示すようにローカル監視画面２１とそのリスト画面２１−３とが表示される。一方、集中監視装置１には、図３に示すように集中監視画面１１Ａとローカル監視画面１１Ｂとそれらのリスト画面１１Ａ−３，１１Ｂ−３とが表示される。
【００４２】
ローカル監視装置２及び集中監視装置１のローカル監視画面２１，１１Ｂは、ローカル監視装置２が監視する特定エリア内の各地に設置された被監視装置３１  〜３ｍ  の監視状態を示す画面であり、それらの画面はローカル監視装置２の画面表示機能を利用してローカル監視装置２上及び集中監視装置１上に表示される。
【００４３】
ローカル監視画面２１及び１１Ｂには、それぞれ各地の被監視装置３１  〜３ｍ  の監視状態を示す被監視装置アイコン２１−１及び１１Ｂ−１が表示される。被監視装置アイコン２１−１及び１１Ｂ−１は、被監視装置３１  〜３ｍ  内で発生した監視項目の状態変化を、該監視項目の中で一番高いシビアリティ（重要度）に対応した表示色により表示する。
【００４４】
ここで、シビアリティは、被監視装置３１  〜３ｍ  の状態変化に対する措置の緊急性に応じて予め設定された複数のランクで、各監視項目ごとに設定される。シビアリティのランクの例を以下の［表１］に示す。
【００４５】
【表１】
0003572571.tif 000002
【００４６】
例えば、被監視装置３１  〜３ｍ  内にシビアリティ“ＭＪ”（ｍａｊｏｒ  ）の監視項目Ａとシビアリテイ“ＷＲ”（ｗａｒｎｉｎｇ）の監視項目Ｂの状態変化が発生状態にある場合、その被監視装置アイコン２１−１，１１Ｂ−１の表示色は、高位のシビアリティ“ＭＪ”  の表示色（例えばオレンジ）となる。
【００４７】
また、被監視装置アイコン２１−１，１１Ｂ−１は被監視装置３１  〜３ｍ  の監視状態に変化が発生した場合、保守者に状態変化の発生を知らせるためにフリッカ（明滅）表示される。フリッカ表示は保守者がその被監視装置３１  〜３ｍ  に発生した状態変化の発生状況を全て確認して確認操作を行った後に停止される。
【００４８】
ローカル監視画面２１及び１１Ｂには、更に、ローカル監視用の状態変化情報をリスト表示するためのリスト表示ボタン２１−２及び１１Ｂ−２が表示され、該ボタンをクリックすることにより、ローカル監視用の状態変化情報のリスト画面２１−３及び１１Ｂ−３が表示される。
【００４９】
ローカル監視用の状態変化情報のリスト画面２１−３及び１１Ｂ−３は、被監視装置３１  〜３ｍ  で発生した状態変化を発生順にリスト部２１−３１及び１１Ｂ−３１に表示する。更に、該リスト画面２１−３及び１１Ｂ−３には、リスト部２１−３１及び１１Ｂ−３１に表示する情報を絞り込むための条件を設定するための条件設定部２１−３２及び１１Ｂ−３２が表示される。
【００５０】
リスト部２１−３１及び１１Ｂ−３１に表示する情報は、被監視装置３１  〜３ｍ  の設置場所（エリア）  、シビアリティ等を検索キーとして絞り込むことができ、条件設定部２１−３２及び１１Ｂ−３２にはこの検索キーに対応したコンボボックスと検索実行用の検索ボタンとを備える。
【００５１】
更に、ローカル監視画面２１及び１１Ｂのリスト画面２１−３，１１Ｂ−３には、確認ボタン２１−３３及び１１Ｂ−３３が表示され、保守者がリスト部に表示された状態変化情報を確認した後、該確認ボタン２１−３３，１１Ｂ−３３をクリックすると、リスト部上に表示されていた状態変化情報は確認済みとして消去され、また、保守者が未確認の状態変化情報が全て消去された被監視装置３１  〜３ｍ  に対応した被監視装置アイコン２１−１，１１Ｂ−１はフリッカ表示が停止される。
【００５２】
図３において集中監視装置１に表示される集中監視画面１１Ａは、全てのローカル監視装置２により監視される各ローカルエリア毎の監視状態を全て表示する。該集中監視画面１１Ａには、各ローカルエリア内の監視状態を示すエリアアイコン１１Ａ−１が表示され、該エリアアイコン１１Ａ−１は、対応するローカルエリア内で発生している状態変化の監視項目の中で最も高いシビアリティに対応した表示色により表示する。
【００５３】
例えば、ローカルエリア内にシビアリティ“ＭＪ”  の監視項目Ａとシビアリティ“ＷＲ”  の監視項目Ｂとが発生状態にある場合、そのエリアアイコン１１Ａ−１の色は高位のシビアリティ“ＭＪ”  の表示色となる。
【００５４】
また、エリアアイコン１１Ａ−１は対応するローカルエリア内の監視状態に変化が発生した場合、保守者に状態変化の発生を知らせるためにフリッカ表示される。フリッカ表示は保守者がそのローカルエリアに発生した状態変化情報を全て確認して確認操作を行った後に停止される。
【００５５】
また、集中監視画面１１Ａには集中監視用の状態変化情報リストを表示するためのリスト表示ボタン１１Ａ−２が表示され、該ボタンをクリックすることにより集中監視用の状態変化情報のリスト画面１１Ａ−３が表示される。
【００５６】
集中監視用の状態変化情報のリスト画面１１Ａ−３には、各ローカルエリア内で発生した状態変化情報を発生順に表示するリスト部１１Ａ−３１と、該リスト部に表示する情報を絞り込むための条件を設定するための条件設定部１１Ａ−３２とが表示される。
【００５７】
リスト部１１Ａ−３１に表示する情報は、エリア及びシビアリティを検索キーとして絞り込むことができ、条件設定部１１Ａ−３２にはこの検索キーに対応したコンボボックスと検索実行用の検索ボタンとが表示される。
【００５８】
更に、集中監視用の状態変化情報のリスト画面１１Ａ−３には確認ボタン１１Ａ−３３が表示され、保守者がリスト部に表示された状態変化情報を確認した後、該確認ボタン１１Ａ−３３をクリックすると、リスト部に表示されていた状態変化情報は確認済みとして消去し、また、保守者が未確認の状態変化情報が全て無くなったローカルエリアに対応するエリアアイコン１１Ａ−１のフリッカ表示を停止する。
【００５９】
ローカル監視装置２内のローカル監視画面表示アプレット２４は、ローカル監視画面２１の表示と該表示画面に対する保守者の操作の受付を制御し、集中監視装置１内のローカル監視画面表示アプレット１４Ｂは、ローカル監視画面１１Ｂの表示と該表示画面に対する保守者の操作の受付を制御し、集中監視装置１内の集中監視画面表示アプレット１４Ａは、集中監視画面１１Ａの表示と該表示画面に対する保守者の操作の受付を制御する機能を有する。
【００６０】
ローカル監視装置２内のローカル監視画面インタフェース部２６は、前述のローカル監視画面表示アプレット２４及び１４Ｂとローカル監視装置２内の各処理部との間で転送される通知や応答のインタフェース機能を有する。
【００６１】
また、集中監視装置１内の集中監視画面インタフェース部１６は、集中監視画面表示アプレット１４Ａと集中監視装置１内の各処理部との間で転送される通知や応答のインタフェース機能を有する。
【００６２】
ローカル監視装置２内の詳細イベント処理部２２は、各被監視装置３１  〜３ｍ  の各監視項目ごとに現在の監視状態と状態変化状況とを管理する機能と、当該ローカル監視装置２が監視する特定エリアで集約した情報の状態変化を管理する機能とを有する。
【００６３】
該詳細イベント処理部２２は、被監視装置３１  〜３ｍ  からのイベント通知により、被監視装置３１  〜３ｍ  ごとの詳細監視項目の状態変化を検出すると、ローカル監視インタフェース部２６を介してローカル監視表示アプレット２４に向けて該状態変化のイベント通知を行うとともに、ネットワークを介して集中監視装置１のローカル監視表示アプレット１４Ｂに向けて該状態変化のイベント通知を行う。また、当該ローカル監視装置２が監視する特定エリアの集約情報の状態変化を検出すると、ネットワークを介して集中監視装置１の集約イベント処理部１２に該状態変化のイベント通知を行う。
【００６４】
また、該詳細イベント処理部２２は、ローカル監視表示アプレット２４又は１４Ｂから、現在の監視状態や状態変化状況の表示要求を受取ると、該当する情報をローカル監視表示アプレット２４又は１４Ｂに返送し、ローカル監視表示アプレット２４又は１４Ｂは、表示要求操作が行われた監視装置の画面に状態変化情報詳細テーブルの内容を表示する。
【００６５】
集中監視装置用及びローカル監視装置用の状態変化情報詳細テーブル２２１，２２２は、各被監視装置３１  〜３ｍ  の状態変化のあった監視項目について、その状態変化発生時刻、変化時の状態（発生、回復）等を管理するためのテーブルである。
【００６６】
該状態変化情報詳細テーブル２２１，２２２の生成、更新は、詳細イベント処理部２２が行い、詳細イベント処理部２２は、保守者の運用開始操作が行われたときに、運用開始操作を行った監視装置ごとに該テーブルを生成する。
【００６７】
すなわち、ローカル監視装置２の保守者が運用開始操作を行うと、ローカル監視装置用のテーブル２２２が、集中監視装置１の保守者が運用開始操作を行うと、集中監視装置用のテーブル２２１が生成される。以後、被監視装置３１  〜３ｍ  からイベント通知が送出されるごとに、詳細イベント処理部２２は該状態変化情報詳細テーブル２２１，２２２の内容を更新する。
【００６８】
また、保守者により確認操作が行われた場合、保守者が確認した状態変化情報は、各監視装置ごとの状態変化情報詳細テーブル２２１，２２２から個別に抹消される。すなわち、ローカル監視装置２の保守者が確認操作を行った場合は、ローカル監視装置用の状態変化情報詳細テーブル２２２の状態変化情報のみが抹消され、集中監視装置１の保守者が確認操作を行った場合は、集中監視装置用の状態変化情報詳細テーブル２２１の状態変化情報のみが抹消される。
【００６９】
集中監視装置１の集約イベント処理部１２は、ローカル監視装置２からネットワークを介して通知される集約情報の状態変化通知により、そのローカルエリアの監視状態の状態変化を検出すると、集中監視画面表示アプレット１４Ａに向けて状態変化のイベント通知を行い、また、集中監視画面表示アプレット１４Ａから現在の監視状態や状態変化状況の表示要求を受取ると、該当する情報を状態変化情報集約テーブル１２１から取出して集中監視画面表示アプレット１４Ａに返送する。
【００７０】
該状態変化情報集約テーブル１２１は、各ローカルエリアごとの状態変化発生時刻、変化時の状態（発生、回復）等を管理するためのテーブルである。該テーブル１２１の生成は、集中監視装置１の保守者の運用開始操作時に、集約イベント処理部１２により行われ、以後、ローカル監視装置２から集約情報の状態変化通知があるごとに、集約イベント処理部１２により更新される。また、集中監視装置１の保守者により集中監視画面１１Ａ上で確認操作が行われた場合、該保守者が確認した状態変化情報は、該状態変化情報集約テーブル１２１から抹消される。
【００７１】
状態変化情報詳細テーブル２２１及び２２２は、集中監視装置１のローカル監視画面１１Ｂ及びローカル監視装置２のローカル監視画面２１に反映する状態変化情報を表示するために、各特定エリア内の被監視装置３１  〜３ｍ  の各監視項目ごとに詳細な情報を保持・管理する。一方、状態変化情報集約テーブルは、集中監視画面の１１Ａに反映する状態変化情報を表示するため、全エリアのシビアリティごとのマクロ情報を管理する。
【００７２】
なお、以下の〔表２〕に示すような状態変化が発生した場合、ローカル監視画面に反映される情報は〔表３〕、集中監視画面に反映される情報は〔表４〕に示すとおりとなる。
【表２】
0003572571.tif 000003
【表３】
0003572571.tif 000004
【表４】
0003572571.tif 000005
【００７３】
集中監視装置でシビアリティごとのマクロ情報の発生及び復旧のみを管理する場合、前述の〔表２〕に示す状態変化があったとき、集中監視画面に反映される情報は、以下の〔表５〕に示すとおりとなる。
【表５】
0003572571.tif 000006
【００７４】
図４は状態変化発生時のローカル監視装置における処理フローを示し、図５は同じく状態変化発生時の集中監視装置における処理フローを示す。被監視装置３１  〜３ｍ  は監視項目の状態変化の発生を検出すると、状態変化情報をイベント通知（▲１▼）としてローカル監視装置２の詳細イベント処理部２２に通知する。
【００７５】
イベント通知（▲１▼）を受けた詳細イベント処理部２２は、状態変化の有無をチェックし、被監視装置３１  〜３ｍ  の監視状態に変化があった場合は、集中監視装置用及びローカル監視装置用の各状態変化情報詳細テーブル２２１及び２２２を更新（▲２▼）する。
【００７６】
また、詳細イベント処理部２２は、状態変化情報をローカル監視画面インタフェース部２６に通知（▲３▼−Ａ）し、ローカル監視画面インタフェース部２６は、ローカル監視画面表示アプレット２４に状態変化情報を通知（▲４▼−Ａ）するとともに、ネットワークを介して集中監視装置１のローカル監視画面表示アプレット１４Ｂへ該状態変化情報を通知（▲４▼−Ｂ）する。
【００７７】
また、詳細イベント処理部２２は、当該ローカル監視装置２が監視する特定エリア全体の集約情報に変化があれば、集中監視装置１の集約イベント処理部１２へネットワークを介してイベント通知（▲３▼−Ｂ）を行う。
【００７８】
ローカル監視画面インタフェース部２６より状態変化通知（▲４▼−Ａ）を受け取ったローカル監視画面表示アプレット２４は、受け取った状態変化情報を基に状態変化のあった被監視装置アイコン２１−１の表示色を変化させるとともにフリッカ表示を行ってローカル監視画面２１を更新し、さらにリスト表示ボタンクリックによるリスト画面２１−３の状態変化情報リストを表示する（▲５▼−Ａ）。
【００７９】
同様に、集中監視装置１において、ネットワークを介して状態変化通知（▲４▼−Ｂ）を受け取ったローカル監視画面表示アプレット１４Ｂは、受け取った状態変化情報を基に状態変化のあった被監視装置アイコン１１Ｂ−１の表示色を変化させるとともにフリッカ表示を行ってローカル監視画面１１Ｂを更新し、さらにリスト表示ボタンクリックによるリスト画面１１Ｂ−３の状態変化情報リストを表示する（▲５▼−Ｂ）。
【００８０】
また、集約情報の状態変化通知（▲３▼−Ｂ）を受信した集約イベント処理部１２は、状態変化情報集約テーブル１２１を更新し（▲４▼−Ｃ）、また、集中監視画面インタフェース部１６を介し（▲５▼−Ｃ）、集中監視画面表示アプレット１４Ａに対して状態変化のイベント通知を送出（▲６▼）する。
【００８１】
状態変化のイベント通知（▲６▼）を受け取った集中監視画面表示アプレット１４Ａは、受け取った状態変化情報を基に状態変化のあったエリアアイコン１１Ａ−１の表示色を変化させるとともにフリッカ表示を行って集中監視画面１１Ａを更新し、さらにリスト表示ボタンクリックによるリスト画面１１Ａ−３の状態変化情報リストを表示する（▲７▼）。
【００８２】
なお、前述のリスト画面の表示において、ローカル監視装置２のローカル監視画面２１で状態変化情報リスト表示ボタン２１−２がクリックされると、ローカル監視画面表示アプレット２４は、ローカル監視画面インタフェース部２６を介して詳細イベント処理部２２へ状態変化情報の転送要求を行う。
【００８３】
該状態変化情報の転送要求を受けた詳細イベント処理部２２は、ローカル監視装置用の状態変化情報詳細テーブル２２２から状態変化情報を読み出し、該状態変化情報を、ローカル監視画面インタフェース部２６を介してローカル監視画面表示アプレット２４へ送出し、ローカル監視画面表示アプレット２４は、受け取った状態変化情報応答の内容を状態変化情報のリスト画面２１−３に反映する。
【００８４】
一方、集中監視装置１のローカル監視画面１１Ｂで状態変化情報リストの表示操作が行われた場合、集中監視装置１のローカル監視画面表示アプレット１４Ｂは、状態変化情報リスト表示ボタン１１Ｂ−２のクリックを検出し、ネットワーク及びローカル監視装置２のローカル監視画面インタフェース部２６を介してローカル監視装置２の詳細イベント処理部２２へ状態変化情報の転送要求を行う。
【００８５】
集中監視装置１のローカル監視画面１１Ｂからの状態変化情報要求を受け取った詳細イベント処理部２２は、集中監視装置用の状態変化情報詳細テーブル２２１から状態変化情報を読み出し、ローカル監視画面インタフェース部２６及びネットワークを介して、該状態変化情報応答を集中監視装置１のローカル監視画面表示アプレット１４Ｂへ送出する。ローカル監視画面表示アプレット１４Ｂは受け取った状態変化情報応答の内容を状態変化情報のリスト画面１１Ｂ−３に反映する。
【００８６】
集中監視装置１の集中監視画面１１Ａで状態変化情報リストの表示操作が行われた場合、状態変化情報リスト表示ボタンのクリックを検出した集中監視画面表示アプレット１４Ａは、集中監視画面インタフェース部１６を介して集約イベント処理部１２へ状態変化情報の転送要求を行う。
【００８７】
該状態変化情報の要求を受け取った集約イベント処理部１２は、状態変化情報集約テーブル１２１から状態変化情報を読み出し、状態変化情報応答として集中監視画面インタフェース部１６を介して集中監視画面表示アプレット１４Ａへ送出し、集中監視画面表示アプレット１４Ａは、受け取った状態変化情報応答の内容を状態変化情報のリスト画面１１Ａ−３に反映する。
【００８８】
図６はローカル監視装置で確認操作を行ったときの処理フローを示す。ローカル監視装置２の状態変化情報のリスト画面２１−３上で確認ボタン２１−３３がクリックされ、該クリックを検出（▲１▼）したローカル監視画面表示アプレット２４は、ローカル監視画面インタフェース部２６を介し（▲２▼）詳細イベント処理部２２へ状態変化情報の確認操作処理要求（▲３▼）を行う。
【００８９】
該処理要求（▲３▼）を受け取った詳細イベント処理部２２は、処理要求（▲３▼）の指示に従い、ローカル監視装置用の状態変化情報詳細テーブル２２２から該当の状態変化情報を抹消（▲４▼）し、また、ローカル監視画面インタフェース部２６を介し（▲５▼）ローカル監視画面表示アプレット２４へ状態変化情報の確認済み処理応答（▲６▼）を送出する。
【００９０】
該処理応答（▲６▼）を受け取ったローカル監視画面表示アプレット２４は、状態変化情報表示のリスト画面２１−３に表示され、確認操作対象となったものを消去するとともに、未確認状態の状態変化情報の無くなった被監視装置アイコン中のフリッカ表示を停止（▲７▼）する。
【００９１】
図７は集中監視装置のローカル監視画面で確認操作を行ったときの集中監視装置における処理フローを示す。また、図８は同じく集中監視装置のローカル監視画面で確認操作を行ったときのローカル監視装置における処理フローを示す。
【００９２】
集中監視装置１のローカル監視画面１１Ｂにおいて、状態変化情報のリスト画面１１Ｂ−３上で確認ボタン１１Ｂ−３３がクリックされると、該クリックを検出（▲１▼）したローカル監視画面表示アプレット１４Ｂは、ネットワーク及びローカル監視装置２のローカル監視画面インタフェース部２６を介し（▲２▼）詳細イベント処理部２２へ状態変化情報の確認操作処理要求（▲３▼）を行う。
【００９３】
該状態変化情報の確認操作処理要求を受け取った詳細イベント処理部２２は、受け取った処理要求の指示に従い、集中監視装置用の状態変化情報詳細テーブル２２１から該当の状態変化情報を抹消（▲４▼）し、また、ローカル監視画面インタフェース部２６を介し（▲５▼−Ａ）集中監視装置１上のローカル監視画面表示アプレット１４Ｂへ状態変化確認応答（▲６▼−Ａ）を送出するとともに、集中監視装置１の集約イベント処理部１２に対して状態変化確認通知を送出（▲５▼−Ｂ）する。
【００９４】
状態変化確認応答（▲６▼−Ａ）を受け取ったローカル監視画面表示アプレット１４Ｂは、状態変化情報のリスト画面１１Ｂ−３に表示され、確認操作対象となったものを消去するとともに、未確認状態の状態変化情報の無くなった被監視装置アイコン１１Ｂ−１のフリッカ表示を停止（▲７▼−Ａ）する。
【００９５】
また、状態変化確認通知（▲５▼−Ｂ）を受け取った集約イベント処理部１２は、受け取った状態変化確認通知の指示に従い、状態変化情報集約テーブル１２１から該当の状態変化情報を抹消（▲６▼−Ｂ）し、集中監視画面インタフェース部１６を介し（▲７▼−Ｂ）集中監視画面表示アプレット１４Ａへ状態変化確認通知を送出（▲８▼）する。
【００９６】
状態変化確認通知（▲８▼）を受け取った集中監視画面表示アプレット１４Ａは、集中監視画面の状態変化情報のリスト画面１１Ａ−３に表示され、確認操作対象となったものを消去するとともに、未確認状態の状態変化情報の無くなったエリアアイコン１１Ａ−１のフリッカ表示を停止（▲９▼）する。
【００９７】
図９は集中監視画面で確認操作を行ったときの集中監視装置における処理フローを示す。また、図１０は同じく集中監視画面で確認操作を行ったときのローカル監視装置における処理フローを示す。
【００９８】
集中監視装置１の保守者が集中監視画面１１Ａで状態変化を確認し、状態変化情報のリスト画面１１Ａ−３上の確認ボタン１１Ａ−３３をクリックすると、該クリックを検出（▲１▼）した集中監視画面表示アプレット１４Ａは、集中監視画面インタフェース部１６を介し（▲２▼）集約イベント処理部１２へ状態変化情報の確認操作処理要求を行う（▲３▼）。
【００９９】
該集約イベント処理部１２は、受け取った状態変化情報の確認操作処理要求の指示に従い、状態変化情報集約テーブル１２１から該当の状態変化情報を抹消（▲４▼）し、また、集中監視画面インタフェース部１６を介し（▲５▼−Ａ）集中監視画面表示アプレット１４Ａへ状態変化確認応答を送出（▲６▼−Ａ）するとともに、ネットワークを介してローカル監視装置２に対して状態変化確認通知を送出（▲５▼−Ｂ）する。
【０１００】
状態変化確認応答（▲６▼−Ａ）を受け取った集中監視画面表示アプレット１４Ａは、状態変化情報のリスト画面１１Ａ−３に表示され、確認操作対象となったものを消去するとともに、未確認状態の状態変化情報の無くなったエリアアイコン１１Ａ−１のフリッカ表示を停止（▲７▼−Ａ）する。
【０１０１】
一方、ネットワークを介して状態変化確認通知（▲５▼−Ｂ）を受け取ったローカル監視装置２の詳細イベント処理部２２は、受け取った状態変化確認通知（▲５▼−Ｂ）の指示に従い、集中監視装置用の状態変化情報詳細テーブル２２１から該当の状態変化情報を抹消し（▲６▼−Ｂ）、ローカル監視画面インタフェース部２６を介し（▲７▼−Ｂ）集中監視装置１のローカル監視画面表示アプレット１４Ｂへ状態変化確認通知を送出（▲８▼−Ｂ）する。
【０１０２】
状態変化確認応答（▲８▼−Ｂ）を受け取った集中監視装置１のローカル監視画面表示アプレット１４Ｂは、ローカル監視画面１１Ｂの状態変化情報のリスト画面１１Ｂ−３に表示され、確認操作対象となったものを消去するとともに、未確認状態の状態変化情報の無くなった被監視装置アイコン１１Ｂ−１のフリッカ表示を停止（▲９▼−Ｂ）する。
【０１０３】
このように、ローカル監視装置２内の状態変化情報詳細テーブル２２１，２２２を監視装置毎に管理し、確認操作処理要求情報に、操作された監視装置の情報を付加することにより、或監視装置の確認操作が他の監視装置で表示されている監視画面に影響することなく、さらに集中監視装置１で表示している監視画面から確認操作が行われた場合には、ネットワークを経由して確認操作処理要求情報をローカル監視装置２の詳細イベント処理部２２に通知し、集中監視装置用の状態変化情報詳細テーブル２２１を更新することにより、集中監視装置１で表示している集中監視画面１１Ａとローカル監視画面１１Ｂとにおける状態変化情報の確認状態は同期し、集中監視画面１１Ａとローカル監視画面１１Ｂの表示内容は一致する。
【０１０４】
即ち、集中監視装置１に表示されるローカル監視画面１１Ｂの表示操作によって表示されるローカル監視用の状態変化情報リスト１１Ｂ−３で確認操作を行った場合、集中監視画面１１Ａ上のエリアアイコン１１Ａ−１の中で、先の確認操作によって未確認の状態変化情報の無くなったエリアアイコン１１Ａ−１のフリッカ表示も停止し、集中監視用の状態変化情報リスト１１Ａ−３の対応情報も消去される。
【０１０５】
また、集中監視画面１１Ａの表示操作によって表示される集中監視用の状態変化情報リスト１１Ａ−３で確認操作を行った場合、集中監視装置１に表示されるローカル監視画面１１Ｂ上の被監視装置アイコン１１Ｂ−１の中で、先の確認操作によって未確認の状態変化情報の無くなった被監視装置アイコン１１Ｂ−１のフリッカ表示も停止し、ローカル監視用の状態変化情報リスト１１Ｂ−３の対応情報も消去される。
【０１０６】
一方、ローカル監視装置１のローカル監視画面２１−３又は集中監視装置のローカル監視画面１１Ｂ−３から、確認ボタン２１−３３又は１１Ｂ−３３をクリックして確認操作を実行すると、該確認操作情報は、ローカル監視装置２内のローカル監視画面表示アプレット２４又は集中監視装置１内のローカル監視画面表示アプレット１４Ｂ及びローカル監視画面インタフェース部２６を経由して、詳細イベント処理部２２に通知され、詳細イベント処理部２２は、通知された確認操作情報から、確認操作が行われた装置を判断し、該当する監視装置用の状態変化情報詳細テーブル２２１又は２２２を更新し、更新した内容を集中監視装置１の集約イベント処理部１２に通知する。
【０１０７】
従って、ローカル監視装置２に表示されるローカル監視画面２１及び状態変化情報のリスト画面２１−３と、集中監視装置１に表示されるローカル監視画面１１Ｂ及びその状態変化情報のリスト画面１１Ｂ−３とは、状態変化情報の確認操作について同期せず独立している。
【０１０８】
即ち、ローカル監視装置２に表示されている状態変化情報のリスト画面２１−３で確認操作を行っても、集中監視装置１のローカル監視画面１１Ｂ上のフリッカ表示には影響せず、また、集中監視装置１に表示されているローカル監視用の状態変化情報のリスト画面１１Ｂ−３で確認操作を行ってもローカル監視装置２のローカル監視画面２１のフリッカ表示には影響しない。
【０１０９】
次に、状態変化情報の分類毎の通番管理について説明する。ローカル監視装置２内の状態変化情報詳細テーブル２２１，２２２は、状態変化情報をシビアリティの分類毎に通番を付して管理する。また、ローカル監視画面及び集中監視画面のリスト画面は、状態変化情報をシビアリティ又はエリアの分類毎に表示可能であり、保守者は表示された状態変化情報を見て確認操作を行い、ローカル監視画面又は集中監視画面の表示アプレットは、確認操作時に表示されていた状態変化情報の分類情報及び最後の通番だけを詳細イベント処理部２２又は集約イベント処理部１２に通知する。
【０１１０】
詳細イベント処理部２２は、ローカル監視画面表示アプレットから通知される分類情報とその最後の通番を受信し、分類毎に通番を管理している状態変化情報詳細テーブル２２１又は２２２を更新し、更新後、状態変化情報詳細テーブル２２１又は２２２に変化があったことをローカル監視画面の表示アプレットに通知する。状態変化情報詳細テーブル２２１又は２２２に変化があったことが通知されたローカル監視画面表示アプレットは、ローカル監視画面に更新された情報を反映する。
【０１１１】
集約イベント処理部１２も同様に、集約監視画面表示アプレットから通知される分類情報とその最後の通番を受信し、分類毎に通番を管理している状態変化情報集約テーブル１２１を更新し、更新後、状態変化情報集約テーブル１２１に変化があったことを集中監視画面の表示アプレットに通知する。状態変化情報集約テーブル１２１に変化があったことが通知された集中監視画面の表示アプレットは、集約監視画面に更新された情報を反映する。
【０１１２】
今、状態変化情報詳細テーブルに〔表６〕に示す状態変化情報が格納されているものとする。ここで、シビアリティ内発生通番は、当該シビアリティの状態変化情報を受信する都度、カウントアップして付される番号である。また、変化通番は、シビアリティのマクロの状態変化情報が発生状態又は回復状態となったときにカウントアップして付される番号である。即ち、変化通番は、発生又は回復の状態変化があっても同一シビアリティ内に発生状態の項目が１つでもあればカウントアップされない。
【表６】
0003572571.tif 000007
【０１１３】
ローカル監視装置２は〔表６〕に示すような状態変化情報を集中監視装置１に通知するが、集中監視装置１では、〔表７〕に示すようにシビアリティ内発生通番が１の状態変化情報までが通知されているときに、保守者により確認操作がなされたとする。
【表７】
0003572571.tif 000008
【０１１４】
該確認操作により、集中監視装置１からローカル監視装置２へは、シビアリティがＣＲ、シビアリティ内発生通番が１という情報が送付され、ローカル監視装置２では、
（１）シビアリティ内発生通番が１の状態変化情報（ａ）を調べる。
（２）次にその状態変化情報の変化通番（＝１）を調べる。
（３）その変化通番を有する全ての状態変化情報（ａ），（ｂ），（ｃ）を確認する。
（４）状態変化情報（ａ），（ｂ），（ｃ）を確認対象として、状態変化情報詳細テーブルから消去する。
【０１１５】
このように、状態変化情報テーブルにおいて、状態変化情報を分類毎に通番を付して管理することにより、保守者は分類された状態変化情報ごとに部分的に状態変化情報を確認することができ、該確認操作に対応した状態変化情報を状態変化情報テーブルから消去する確認操作処理を行うことができる。
【０１１６】
また、集中監視装置１では所定の監視対象シビアリティ以上の監視項目のみが集中監視装置１の保守者に通知されるように設定する手段を備え、集中監視装置１上に表示される集中監視画面１１Ａとローカル監視画面１１Ｂでは、集中監視装置１で設定された監視対象シビアリティ未満の監視項目の状態変化情報は表示されないように構成される。なお、この具体的な構成については図２５及び図２６を用いて後述する。
【０１１７】
ローカル監視装置２内の詳細イベント処理部２２は、被監視装置３１  〜３ｍ  から通知された状態変化情報のシビアリティと、設定された監視対象シビアリティとを比較し、受信した状態変化情報を集中監視装置１のローカル監視画面１１Ｂに表示するか否かを判断する。表示する場合にはローカル監視画面インタフェース２６及び集中監視装置１内のローカル監視画面表示アプレット１４Ｂを経由して集中監視装置１のローカル監視画面１１Ｂに表示する。
【０１１８】
このように、保守者により設定された監視対象シビアリティを集中監視装置１及びロール監視装置２内に保持し、集中監視装置１で表示するローカル監視画面１１Ｂに反映するか否かを判断することにより、ローカル監視装置２で表示しているローカル監視画面２１に影響することなく、集中監視装置１で表示する集中監視画面１１Ａ及びローカル監視画面１１Ｂの両方に表示情報を絞り込む。
【０１１９】
集中監視装置１では、複数のローカル監視装置２を同時に監視するが、ローカル監視装置２で受信した全ての状態変化情報を表示するのは困難であるため、監視対象シビアリティを設定すことにより、より緊急性の高いシビアリティのみを表示することが可能となり、集中監視装置１のローカル監視画面１１Ｂに表示される状態変化情報は、集中監視装置１で設定された監視対象シビアリティの範囲で表示され、一方、各々のローカル監視装置２で表示されているローカル監視画面２１はこの監視対象シビアリティの影響を受けることはない。
【０１２０】
次に、ローカル監視装置と集中監視装置とによる制御操作の記録について説明する。ローカル監視装置２は、図２８に示すように設定・制御処理部を備え、該設定・制御処理部は、集中監視装置１のローカル監視画面表示アプレット１４Ｂ及びローカル監視装置２のローカル監視画面インタフエース部２６を経由して通知された集中監視装置１による制御操作を、被監視装置３１  〜３ｍ  に送信する。
【０１２１】
また、該設定・制御処理部２８は、保守者の制御操作及び被監視装置３１  〜３ｍ  からの制御応答を操作記録部２３に通知する。操作記録部２３は、受信した制御操作及び制御応答を、ローカル監視装置２の制御履歴部に保存する。さらに、該設定・制御処理部は、制御操作がローカル監視装置２から行われたのか、集中監視装置１から行われたのかを判断し、集中監視装置１から行われた場合にはネットワークを介して、集中監視装置１の設定・制御処理部へ該制御操作及び制御応答を通知する。
【０１２２】
集中監視装置１の設定・制御処理部は、通知された制御操作及び制御応答を、集中監視装置１内の操作記録部１３に通知し、該操作記録部１３は、受信した制御操作及び制御応答を制御履歴として保存する。
【０１２３】
集中監視装置１のローカル監視画面１１Ｂから制御操作した場合、ローカル監視装置２及び被監視装置３１  〜３ｍ  への制御処理は、ローカル監視装置２が実行するが、その制御操作及び制御応答の記録情報をローカル監視装置２から集中監視装置１に送信することにより、集中監視装置１の保守者が操作した制御履歴を集中監視装置１に操作記録情報として保存し、集中監視装置１で行った全ての操作記録を検索することが可能となる。
【０１２４】
図１１はローカル監視装置２内の各機能ブロックを示す図である。２７１，２７２はそれぞれＷｅｂサーバー、Ｗｅｂブラウザである。２３は操作記録部であり、操作記録部２３はローカル監視装置２で実行された制御操作や設定操作等の操作履歴を記録する機能を有する。
【０１２５】
２４，１４Ｂはローカル監視画面表示アプレットであり、ローカル監視画面２１，１１Ｂの表示や保守者の各種操作の受付を行う機能を有する。ローカル監視画面表示アプレットは初期時、ローカル監視装置２内のハードディスク内に格納され、ローカル監視装置２又は集中監視装置１のローカル監視画面表示操作によりＷｅｂサーバー２７１，Ｗｅｂブラウザ２７２又は１７２を介して起動されるローカル監視画面表示アプレットは、その表示操作がローカル監視装置２上で行われれば、ローカル監視装置２上で動作（２４）し、表示操作が集中監視装置１上で行われれば集中監視装置１上で動作（１４Ｂ）する。
【０１２６】
なお、アプレットはＪａｖａコードで書かれたプログラムであり、ＷｅｂブラウザによりＷｅｂサーバーからダウンロードされ実行される。本発明の実施例において、画面表示用にアプレットを使うのは、他装置からでもリモートで各画面の表示、操作が行えるようにするためで、このようにすることにより、集中監視装置では、ローカル監視装置で表示しているローカル監視画面と同様の監視制御ＨＭＩを実現している。
【０１２７】
２８は設定・制御処理部であり、保守者の行った設定、制御操作を受け付け、該当する設定、制御を実行する機能を有する。また、設定・制御処理部２８は、集中監視装置１から通知された監視対象シビアリティを、監視対象シビアリティ設定部（図示省略）に保存する処理部である。また、２６はローカル監視画面インタフェース部であり、ローカル監視画面表示アプレット２４，１４Ｂとローカル監視装置２内の各処理部とのインタフェースを行う機能を有する。
【０１２８】
ローカル監視画面インタ―フェース部２６は、ローカル監視画面表示アプレット２４，１４Ｂから要求を受け取ると、対応するローカル監視装置２内の処理部へ受け取った要求を転送し、ローカル監視装置２内の各処理部から応答を受け取ると要求元のローカル監視画面表示アプレット２４，１４Ｂへ受け取った応答を転送し、また、ローカル監視装置２内の各処理部より通知を受け取ると、ローカル監視画面表示アプレット２４，１４Ｂに対して、受け取った通知の転送を行う。
【０１２９】
詳細イベント処理部２２は、各被監視装置３１  〜３ｍ  の各監視項目ごとに現在の監視状態と状態変化状況を管理する機能と、ローカル監視装置２の監視する特定エリアで集約した情報の状態変化を管理する機能を有する。
【０１３０】
該詳細イベント処理部２２は、被監視装置３１  〜３ｍ  からのイベント通知により、被監視装置３１  〜３ｍ  毎の詳細監視項目の状態変化を検出すれば、各ローカル監視表示アプレット２４，１４Ｂに向けて状態変化通知を送出し、ローカル監視装置２が監視する特定エリアの集約情報の状態変化を検出すると、集中監視装置１に対して状態変化通知を送出する。
【０１３１】
また、ローカル監視画面表示アプレット２４，１４Ｂから現在の監視状態や状態変化状況の情報の転送要求があれば、該当の情報をローカル監視表示アプレット２４，１４Ｂに返送する。これらの管理は現状態情報詳細テーブル２２３、状態変化情報詳細テーブル２２１，２２２を利用して行われる。
【０１３２】
現状態情報詳細テーブル２２３は、各被監視装置３１  〜３ｍ  の監視する各監視項目毎に現在の状態（発生、回復）を管理するためのテーブルであり、詳細イベント処理部２２により被監視装置３１  〜３ｍ  からのイベント通知ごとに更新され、ローカル監視画面２１，１１Ｂの初期表示時における各被監視装置アイコン２１−１，１１Ｂ−１の表示色決定のために参照される。
【０１３３】
状態変化情報詳細テーブル２２１，２２２は、各被監視装置３１  〜３ｍ  の状態変化のあった監視項目について、その状態変化発生時刻、変化時の状態（発生、回復）等を管理するためのテーブルである。該テーブルの生成、更新は詳細イベント処理部２２が行い、詳細イベント処理部２２は保守者の運用開始操作が行われた際に、運用開始を行った監視装置ごとにこのテーブルを生成し、以後、被監視装置３１  〜３ｍ  からイベント通知があるごとに、各状態変化情報詳細テーブル２２１，２２２を更新する。また、保守者により確認操作が行われた場合、保守者が確認した状態変化情報は、各監視装置用の状態変化詳細テーブル２２１，２２２ごとに個別に抹消される。
【０１３４】
２５２は被監視装置インタフェース部であり、被監視装置３１  〜３ｍ  とローカル監視装置２内の各処理部との間のインタフェース機能を有する。被監視装置インタフェース部２５２は、被監視装置３１  〜３ｍ  からの情報受信を行い、受け取った情報がイベント通知であった場合、詳細イベント処理部２２ヘ該イベント通知の転送を行う。
【０１３５】
２５１は集中監視装置インタフェース部であり、集中監視装置１とローカル監視装置２内の各処理部との間のインタフェース機能を有する。集中監視装置インタフェース部２５１は、ローカル監視装置２内の各処理部から情報を受け取ると集中監視装置１へ転送し、また、集中監視装置１から情報を受信するとローカル監視装置２内の該情報を処理すべき処理部へ転送する。集中監視装置１から受信した情報が設定・制御の要求であった場合は、設定・制御処理部２８へ転送し、運用監視通知の場合は詳細イベント処理部２２へ転送する。
【０１３６】
２９は運用管理部であり、保守からの運用開始操作を受け付け、保守者からの運用開始操作による状態変化情報の検出開始を詳細イベント処理部２２へ指示する機能を有する。
【０１３７】
図１２は集中監視装置１内の各機能ブロックを示す図である。１７１，１７２はそれぞれＷｅｂサーバー、Ｗｅｂブラウザである。１３は操作記録部であり、操作記録部１３は集中監視装置１の保守者が実行した制御操作や設定操作などの操作履歴を記録する機能を有する。
【０１３８】
集中監視画面表示アプレット１４Ａは、集中監視画面１１Ａの表示や保守者の各種操作の受付を行う機能を有する。集中監視画面表示アプレット１４Ａは初期時、集中監視装置１内のハードディスク内に格納され、集中監視画面表示操作によりＷｅｂサーバー１７１，Ｗｅｂブラウザ１７２を介して起動される。１８は設定・制御処理部であり、保守者の行った設定、制御操作を受け付け、該当する設定、制御を実行する機能を有する。
【０１３９】
集中監視画面インタフェース部１６は、集中監視画面表示アプレット１４Ａと集中監視装置１内の各処理部との間のインタフェース機能を有する。集中監視画面インタフェース部１６は、集中監視画面表示アプレット１４Ａから要求を受け取ると、対応する集中監視装置１内の処理部へ受け取った要求を転送し、また、集中監視装置１内の各処理部より情報を受取ると集中監視画面表示アプレット１４Ａに対して、受け取った情報の転送を行う。
【０１４０】
集約イベント処理部１２は、各ローカルエリア毎の監視状態と状態変化状況を管理する機能を有する。該集約イベント処理部１２は、ローカル監視装置２からの状態変化通知により、各ローカルエリアの監視状態の状態変化を検出すると集中監視画面表示アプレット１４Ａに向けて状態変化通知を送出し、また、集中監視画面表示アプレット１４Ａから現在の監視状態や状態変化状況の転送要求があれば、該当の情報を集中監視画面表示アプレット１４Ａに返送する。
【０１４１】
これら管理は状態変化情報集約テーブル１２１及び現状態情報集約テーブル１２３を利用して行われる。各ローカルエリアの現在の状態を管理するための現状態情報集約テーブル１２３は、集約イベント処理部１２によりローカル監視装置２からの状態変化通知の度に更新され、集中監視画面初期表示時における各エリアアイコン１１Ａ−１の表示色決定のために参照される。
【０１４２】
状態変化情報集約テーブル１２１は、各ローカルエリアにおける状態変化発生時刻、変化時の状態（発生、回復）等を管理するためのテーブルである。該テーブルの生成は集約イベント処理部１２が保守者による運用開始操作時に行い、その更新は、以後、ローカル監視装置２から状態変化通知があるごとに、集約イベント処理部１２により実行される。また、保守者により確認操作が行われた場合、保守者が確認した状態変化情報はこのテーブルから抹消される。
【０１４３】
１５１はローカル監視装置インタフェース部であり、ローカル監視装置２と集中監視装置１内の各処理部との間のインタフェース機能を有する。ローカル監視装置インタフェース部１５１はローカル監視装置２からの情報受信を行い、受け取った情報が状態変化通知であった場合、集約イベント処理部１２ヘイベント通知の転送を行う。
【０１４４】
１８は設定・制御処理部であり保守者の行った設定、制御操作を受け付け、該当する設定、制御を実行する機能を有する。また、設定・制御処理部１８は、集中監視画面表示アプレット１４Ａ及び集中監視画面インタフェース部１６を経由して通知された監視対象シビアリティを、監視対象シビアリティ設定部（図示省略）に保存する処理部である。
【０１４５】
１９は運用管理部であり保守からの運用開始操作を受け付け、保守者からの運用開始操作により状態変化情報の検出開始を、集中監視装置１の集約イベント処理部１２と、ローカル監視装置インタフェース部１５１を介してローカル監視装置２の詳細イベント処理部２２へ指示する機能を有する。
【０１４６】
図１３はローカル監視装置の運用開始操作時の処理フロー（状態変化情報詳細テーブルの生成）を示す。保守者によるローカル監視装置２の運用開始操作（▲１▼）を検出した運用管理部２９は、詳細イベント処理部２２に対して運用開始通知（▲２▼）を行う。
【０１４７】
運用管理部２９からの運用開始通知（▲２▼）を受けた詳細イベント処理部２２は、ローカル監視装置用の状態変化情報詳細テーブル２２２を生成（▲３▼）する。これにより、以後、状態変化が発生すれば、ローカル監視装置用の状態変化情報詳細テーブル２２２が更新され、ローカル監視の運用中状態となる。
【０１４８】
図１４は集中監視装置の運用開始操作時の処理フローを示す。保守者による集中監視装置１の運用開始操作（▲１▼）を検出した運用管理部１９は、集約イベント処理部１２に対して運用開始通知（▲２▼−Ａ）を行うとともに、ローカル監視装置インタフェース部１５１を介してローカル監視装置２にも運用開始通知（▲２▼−Ｂ，▲３▼−１）を行う。集中監視装置１内の運用管理部１９からの運用開始通知（▲２▼−Ａ）を受けた集約イベント処理部１２は状態変化情報集約テーブル１２１を生成（▲３▼−Ａ）する。
【０１４９】
集中監視装置インタフェース部２５１を介して、集中監視装置１からの運用開始通知（▲４▼）を受け取ったローカル監視装置２の詳細イベント処理部２２は、集中監視装置用の状態変化情報詳細テーブル２２１を生成（▲５▼−Ｂ）する。これにより、以後、状態変化が発生すれば集中監視装置用の状態変化情報詳細テーブル２２１、状態変化情報集約テーブル１２１が更新され、集中監視の運用状態となる。
【０１５０】
このようにして、ローカル監視装置２、集中監視装置１ともに運用開始状態になった後には、集中監視装置１内に集中監視装置用の状態変化情報集約テーブル１２１が生成されるとともに、ローカル監視装置２内にある状態変化情報詳細テーブルは、ローカル監視装置用のもの（２２２）と集中監視装置用のもの（２２１）とが個別に生成される。
【０１５１】
図１５はローカル監視装置でのローカル監視画面起動（表示操作）時の処理フローを示す。ローカル監視装置２において、保守者によるローカル監視画面の表示操作（▲１▼）を受けたＷｅｂブラヴザ２７２は、Ｗｅｂサーバー２７１に対してローカル監視画面の表示要求（▲２▼）を行う。
【０１５２】
ローカル監視画面の表示要求（▲２▼）を受けたＷｅｂサーバー２７１は、ローカル監視画面２１を構成するＨＴＭＬファイルおよびローカル監視画面表示アプレット２４を読み出し（▲３▼）、Ｗｅｂブラウザ２７２に渡す（▲４▼）。ローカル監視画面表示アプレット２４を受け取ったＷｅｂブラウザ２７２はローカル監視画面表示アプレット２４を起動する（▲５▼）。
【０１５３】
Ｗｅｂブラウザ２７２より起動されたローカル監視画面表示アプレット２４は、画面表示インタフェース部２６に対して、ローカル監視画面２１を表示するのに必要な、現在の状態情報や状態変化情報の要求を行うための表示情報要求（▲６▼）を通知する。
【０１５４】
表示情報要求（▲６▼）を受け取ったローカル監視画面インタフェース部２６は、詳細イベント処理部２２に対して表示情報要求（▲６▼’  ）を転送する。詳細イベント処理部２２は表示情報要求（▲６▼’  ）を受けとると、現状態情報詳細テーブル２２３とローカル監視装置用の状態変化情報詳細テーブル２２２を読み出し（▲７▼）、その情報を表示情報応答（▲８▼）としてローカル画面インタフェース部２６へ通知する。表示情報応答（▲８▼）を受け取ったローカル画面インタフェース部２６は、ローカル監視画面表示アプレット２４に対して表示情報応答（▲８▼’  ）を転送する。
【０１５５】
ローカル監視画面表示アプレット２４は、受け取った表示情報応答（▲８▼’  ）に従い、ローカル監視画面２１上でアラーム発生の被監視装置アイコン２１−１の表示色を、その被監視装置３１  〜３ｍ  内で発生している最高位のシビアリティの表示色にし、また、状態変化のあった被監視装置アイコン２１−１をフリッカ表示する（▲９▼）。
【０１５６】
図１６は集中監視装置でのローカル監視画面起動（表示操作）時の処理フローを示す。集中監視装置１において、保守者からのローカル監視画面の表示操作（▲１▼）を受けたＷｅｂブラウザ１７２は、そのローカル監視画面を保有するローカル監視装置２のＷｅｂサーバー２７１に対してローカル監視画面の表示要求（▲２▼）を行う。
【０１５７】
ローカル監視画面の表示要求（▲２▼）を受けたローカル監視装置２のＷｅｂサーバー２７１は、ローカル監視画面１１Ｂを構成するＨＴＭＬファイルおよびローカル監視画面表示アプレッ１４Ｂを読み出し（▲３▼）、集中監視装置１のＷｅｂブラウザ１７２に渡す（▲４▼）。
【０１５８】
集中監視装置１のＷｅｂブラウザ１７２は、ローカル監視画面１１Ｂを構成するＨＴＭＬファイル及びローカル監視画面表示アプレット１４Ｂをダウンロードしてローカル監視画面表示アプレット１４Ｂを起動し、起動された集中監視装置１上のローカル監視画面表示アプレット１４Ｂは、ローカル監視装置２の画面表示インタフェース部２６に対して、ローカル監視画面１１Ｂを表示するのに必要な表示情報要求（▲６▼）を通知する。
【０１５９】
表示情報要求（▲６▼）を受け取った画面インタフェース部２６は、詳細イベント処理部２２に対して表示情報要求（▲６▼’  ）を転送する。詳細イベント処理部２２は表示情報要求（▲６▼’  ）を受けとると、現状態情報詳細テーブル２２３と集中監視装置用の状態変化情報詳細テーブル２２１を読み出し（▲７▼）、その情報を表示情報応答（▲８▼）として画面インタフェース部２６へ通知する。表示情報応答（▲８▼）を受け取った画面インタフェース部２６は、ローカル監視画面表示アプレット１４Ｂに対して表示情報応答（▲８▼’  ）を転送する。
【０１６０】
ローカル監視画面表示アプレット１４Ｂは、受け取った表示情報応答（▲８▼’  ）に従い、ローカル監視画面１１Ｂ上でアラーム発生の被監視装置アイコン１１Ｂ−１の表示色を、その被監視装置３１  〜３ｍ  内で発生している最高位のシビアリティの表示色にし、また、状態変化のあった被監視装置アイコン１１Ｂ−１をフリッカ表示する（▲９▼）。
【０１６１】
図１７は集中監視装置での集中監視画面起動（表示操作）時の処理フローを示す。集中監視装置１において、保守者からの集中監視画面の表示操作（▲１▼）を受けたＷｅｂブラウザ１７２は、Ｗｅｂサーバー１７１に対して集中監視画面の表示要求（▲２▼）を行う。
【０１６２】
集中監視画面の表示要求（▲２▼）を受けたＷｅｂサーバー１７１は、集中監視画面１１Ａを構成するＨＴＭＬファイルおよび集中監視画面表示アプレッ１４Ａを読み出し（▲３▼）、Ｗｅｂブラウザ１７２に渡す（▲４▼）。集中監視画面表示アプレット１４Ａを受け取ったＷｅｂブラウザ１７２は集中監視画面表示アプレット１４Ａを起動する（▲５▼）。
【０１６３】
Ｗｅｂブラウザ１７２より起動された集中監視画面表示アプレット１４Ａは、画面表示インタフェース部１６に対して、集中監視画面１１Ａを表示するのに必要な、現在の状態情報や状態変化情報の要求を行うための表示情報要求（▲６▼）を通知する。
【０１６４】
表示情報要求（▲６▼）を受け取った画面インタフェース部１６は、集約イベント処理部１２に対して表示情報要求（▲６▼’  ）を転送する。集約イベント処理部１２は表示情報要求（▲６▼’  ）を受けとると、現状態情報詳細テーブル１２３と状態変化情報集約テーブル１２１を読み出し（▲７▼）、その情報を表示情報応答（▲８▼）として集中画面インタフェース部１６へ通知する。表示情報応答（▲８▼）を受け取った集中画面インタフェース部１６は、集中監視画面表示アプレット１４Ａに対して表示情報応答（▲８▼’  ）を転送する。
【０１６５】
集中監視画面表示アプレット１４Ａは、受け取った表示情報応答（▲８▼’  ）に従い、集中監視画面１１Ａ上でアラーム発生のエリアアイコン１１Ａ−１の表示色を、そのローカルエリア内で発生している最高位のシビアリティの表示色にし、また、状態変化のあったエリアアイコン１１Ａ−１をフリッカ表示する（▲９▼）。
【０１６６】
図１８は状態変化発生時の状態変化表示処理フローを示す。被監視装置３１  〜３ｍ  が監視項目の状態変化を検出した場合、状態変化情報をイベント通知（▲１▼）としてローカル監視装置２に通知する。
【０１６７】
被監視装置インタフェース部２５２を介して被監視装置３１  〜３ｍ  からのイベント通知（▲２▼）を受け取った詳細イベント処理部２２は、状態変化の有無をチェックし、監視状態に変化があった場合は、各状態変化情報詳細テーブル２２１，２２２及び現状態情報詳細テーブル２２３を更新し（▲３▼）、ローカル監視画面インタフェース部２６を介してローカル監視画面表示アプレット２４及び１４Ｂへイベント通知（▲４▼−Ａ，▲４▼−Ｂ）し、自監視エリア全体の集約情報に変化があれば集中監視装置インタフェース部２５１を介して集中監視装置１へイベント通知（▲４▼−Ｃ）を送出する。
【０１６８】
ローカル監視画面インタフェース部２６よりイベント通知（▲４▼−Ａ、▲４▼−Ｂ）を受け取ったローカル監視画面表示アプレット２４及び１４Ｂは、受け取った状態変化情報を基に状態変化のあった被監視装置アイコン２１−１の表示色を変化させるとともにフリッカ表示を行う（▲５▼−Ａ，▲５▼−Ｂ）。
【０１６９】
また、ローカル監視装置インタフェース部１５１を介してイベント通知（▲５▼−Ｃ）を受信した集約イベント処理部１２は、現状態情報集約テーブル１２３と状態変化情報集約テーブル１２１とを更新（▲６▼）し、また、集中監視画面インタフェース部１６を介して集中監視画面表示アプレット１４Ａに対してイベント通知（▲７▼’  ）を送出する。
【０１７０】
イベント通知（▲７▼’  ）を受け取った集中監視画面表示アプレット１４Ａは、受け取った状態変化情報を基に状態変化のあったエリアアイコン１１Ａ−１の表示色を変化させるとともにフリッカ表示を行う（▲８▼）。
【０１７１】
図１９はローカル監視装置上のローカル監視画面での状態変化情報リスト表示操作時の処理フローを示す。状態変化情報リスト表示ボタン２１−２のクリック（▲１▼）を検出したローカル監視装置２のローカル監視画面表示アプレット２４はローカル監視画面インタフェース部２６を介し（▲２▼）て詳細イベント処理部２２へ状態変化情報の転送要求を行う（▲３▼）。
【０１７２】
ローカル監視画面２１からの状態変化情報の転送要求（▲３▼）を受け取った詳細イベント処理部２２は、ローカル監視装置用の状態変化情報詳細テーブル２２２から状態変化情報を読み出し（▲４▼）、状態変化情報応答としてローカル監視画面インタフェース部２６を介し（▲５▼）て該状態変化情報応答をローカル監視画面表示アプレット２４へ送出する（▲６▼）。状態変化情報応答（▲６▼）を受け取ったローカル監視画面表示アプレット２４は、受け取った状態変化情報応答の内容を状態変化情報リスト２１−３に反映する。
【０１７３】
図２０は集中監視装置のローカル監視画面での状態変化情報リスト表示操作時の処理フローを示す。集中監視装置１のローカル監視画面１１Ｂでの状態変化情報リスト表示ボタン１１Ｂ−２のクリック（▲１▼）を検出した集中監視装置１のローカル監視画面表示アプレット１４Ｂは、ローカル監視装置２のローカル監視画面インタフェース部２６を介し（▲２▼）てローカル監視装置２の詳細イベント処理部２２へ状態変化情報の転送要求を行う（▲３▼）。
【０１７４】
集中監視装置１のローカル監視画面１１Ｂからの状態変化情報要求（▲３▼）を受け取った詳細イベント処理部２２は、集中監視装置用の状態変化情報詳細テーブル２２１から状態変化情報を読み出し（▲４▼）、状態変化情報応答としてローカル監視画面インタフェース部２６を介し（▲５▼）て集中監視装置１上のローカル監視画面表示アプレット１４Ｂへ送出する（▲６▼）。ローカル監視画面表示アプレット１４Ｂは、受け取った状態変化情報応答（▲６▼）の内容を状態変化情報リスト１１Ｂ−３に反映する。
【０１７５】
図２１は集中監視装置の集中監視画面上での状態変化情報リスト表示操作時の処理フローを示す。状態変化情報リスト表示ボタンのクリックを検出した集中監視装置上の集中監視画面表示アプレット１４Ａは、集中監視画面インタフェース部１６を介し（▲２▼）て集約イベント処理部１２へ状態変化情報の転送要求を行う（▲３▼）。
【０１７６】
状態変化情報の転送要求（▲３▼）を受け取った集約イベント処理部１２は、状態変化情報集約テーブル１２１から状態変化情報を読み出し（▲４▼）、状態変化情報応答として集中監視画面インタフェース部１６を介し（▲５▼）て集中監視画面表示アプレット１４Ａへ送出する（▲６▼）。集中監視画面表示アプレット１４Ａは、受け取った状態変化情報応答（▲６▼）の内容を状態変化情報リスト１１Ａ−３に反映する。
【０１７７】
図２２はローカル監視装置のローカル監視画面でのリスト情報の確認操作時の処理フローを示す。状態変化情報リスト２１−３上の確認ボタン２１−３３のクリックを検出したローカル監視装置２のローカル監視画面表示アプレット２４は、ローカル監視画面インタフェース部２６を介し（▲２▼）て詳細イベント処理部２２へ状態変化情報の確認操作処理要求を行う（▲３▼）。
【０１７８】
詳細イベント処理部２２は、受け取った状態変化情報の確認操作処理要求（▲３▼）の指示に従い、ローカル監視装置用の状態変化情報詳細テーブル２２２から該当の状態変化情報を抹消し、また、ローカル監視画面インタフェース部２６を介し（▲５▼）てローカル監視画面表示アプレット２４へ状態変化確認応答（▲６▼）を送出する。
【０１７９】
状態変化確認応答（▲６▼）を受け取ったローカル監視画面表示アプレット２４は、状態変化情報表示リストに表示された状態変化情報の中で、確認操作対象となったものを消去するとともに、未確認状態の状態変化情報の無くなった被監視装置アイコン２１−１のフリッカ表示を停止する。
【０１８０】
図２３は集中監視装置のローカル監視画面上での状態変化情報リストの確認操作時の処理フローを示す。状態変化情報リスト１１Ｂ−３上の確認ボタン１１Ｂ−３３のクリックを検出（▲１▼）した集中監視装置１のローカ監視画面表示アプレット１４Ｂは、ローカル監視装置２のローカル監視画面インタフェース部２６を介し（▲２▼）てローカル監視装置上２の詳細イベント処理部２２へ状態変化情報の確認操作処理要求を行う（▲３▼）。
【０１８１】
詳細イベント処理部２２は、受け取った状態変化確認操作処理要求（▲３▼）の指示に従い、集中監視装置１用の状態変化情報詳細テーブル２２１から該当の状態変化情報を抹消し（▲４▼）、ローカル監視画面インタフェース部２６を介し（▲４▼’  ）て集中監視装置１上のローカル監視画面表示アプレット１４Ｂへ状態変化確認応答（▲５▼−Ａ）を送出するとともに、集中監視装置インタフェース部２５１を介し（▲５▼−Ｂ）て集中監視装置１へ状態変化確認通知を送出する（▲５▼−Ｃ）。
【０１８２】
状態変化確認応答（▲５▼−Ａ）を受け取ったローカル監視画面表示アプレット１４Ｂは、状態変化情報表示リストに表示された状態変化情報の中で、確認操作対象となったものを消去するとともに、未確認状態の状態変化情報の無くなった被監視装置アイコン１１Ｂ−１のフリッカ表示を停止する（▲６▼−Ａ）。
【０１８３】
また、ローカル監視装置インタフェース部１５１を介し（▲５▼−Ｃ）て状態変化確認通知（▲６▼−Ｂ）を受け取った集約イベント処理部１２は、受け取った状態変化確認通知（▲６▼−Ｂ）の指示に従い、状態変化情報集約テーブル１２１から該当の状態変化情報を抹消し（▲７▼）、集中監視画面インタフェース部１６を介し（▲８▼）て集中監視画面表示アプレット１４Ａへ状態変化確認通知（▲８▼’  ）を送出する。
【０１８４】
状態変化確認通知（▲８▼’  ）を受け取った集中監視画面表示アプレット１４Ａは、状態変化情報表示リストに表示された状態変化情報の中で、確認操作対象となったものを消去するとともに、未確認状態の状態変化情報の無くなったエリアアイコン１１Ａ−１のフリッカ表示を停止する（▲９▼）。
【０１８５】
図２４は集中監視装置の集中監視画面上での状態変化情報リスト確認操作時の処理フローを示す。状態変化情報リスト１１Ａ−３上での確認ボタン１１Ａ−３３のクリックを検出した集中監視装置１の集中視画面表示アプレット１４Ａは、集中監視画面インタフェース部１６を介し（▲２▼）て集約イベント処理部１２へ状態変化情報の確認操作処理要求を行う（▲２▼’  ）。
【０１８６】
集約イベント処理部１２は、受け取った状態変化確認操作処理要求（▲２▼’  ）の指示に従い、状態変化情報集約テーブル１２１から該当の状態変化情報を抹消し、また、集中監視画面インタフェース部１６を介し（▲４▼）て集中監視画面表示アプレット１４Ａへ状態変化確認応答（▲４▼’  ）を送出するとともに、ローカル監視装置インタフェース部１５１を介し（  ▲５▼−Ｂ）てローカル監視装置２に対して状態変化確認通知を送出する（▲５▼−Ｃ）。
【０１８７】
状態変化確認応答（▲４▼’  ）を受け取った集中監視画面表示アプレット１４Ａは、状態変化情報表示リストに表示された状態変化情報の中で、確認操作対象となったものを消去するとともに、未確認状態の状態変化情報の無くなったエリアアイコン１１Ａ−１のフリッカ表示を停止する（▲５▼−Ａ）。
【０１８８】
集中監視装置１から集中監視装置インタフェース部２５１を介し（▲５▼−Ｃ）て状態変化確認通知（▲６▼）を受け取った詳細イベント処理部２２は、受け取った状態変化確認通知（▲６▼）の指示に従い、集中監視装置用の状態変化情報詳細テーブル２２１から該当の状態変化情報を抹消し（▲７▼−Ａ）、ローカル監視画面インタフェース部２６を介し（▲７▼−Ｂ）て集中監視装置１のローカル監視画面表示アプレット１４Ｂへ状態変化確認通知（▲８▼）を送出する。
【０１８９】
状態変化確認応答（▲８▼）を受け取った集中監視装置１のローカル監視画面表示アプレット１４Ｂは、状態変化情報表示リストに表示された状態変化情報の中で、確認操作対象となったものを消去するとともに、未確認状態の状態変化情報の無くなった被監視装置アイコン１１Ｂ−１のフリッカ表示を停止する。
【０１９０】
図２５は監視対象シビアリティ設定操作時の処理フローを示す。集中監視装置１の保守者による監視対象シビアリティの設定操作を受けた集中監視画面表示アプレット１４Ａは、集中監視画面インタフェース部１６を介し（▲２▼）て監視対象シビアリティ設定要求を設定・制御処理部１８に送出する（▲３▼）。
【０１９１】
集中監視装置１の設定・制御処理部１８は、受け取った監視対象シビアリティ設定要求（▲３▼）に従い、自装置内の監視対象シビアリティを更新し、監視対象シビアリティ設定部１８１に設定する（  ▲４▼）。また、ローカル監視装置インタフェース部１５１を介し（▲５▼）てローカル監視装置２に監視対象シビアリティ設定通知を送出する（▲６▼）。
【０１９２】
集中監視装置１から集中監視装置インタフェース部２５１を介し（▲６▼）て監視対象シビアリティ設定通知（▲７▼）を受け取ったローカル監視装置２の設定・制御処理部２８は、受け取った監視対象シビアリティ設定通知（▲７▼）に従い、自装置内の監視対象シビアリティを更新し、監視対象シビアリティ設定部２８１に設定する（▲８▼）。
【０１９３】
図２６は監視対象シビアリティの設定されている場合の状態変化発生時の処理フローを示す。ローカル監視装置２の詳細イベント処理部２２は、イベント通知受信時（▲２▼）、監視対象シビアリティ設定部２８１に設定されている監視対象シビアリティを参照し（▲２▼’  ）、状態変化があった監視項目のシビアリティが、設定された監視対象シビアリティ未満であった場合、集中監視装置１へのイベント通知（▲４▼’  ▲４▼−Ｃ）の送出は行わない。
【０１９４】
なお、ローカル監視装置の保守者がローカル監視画面に表示する監視対象シビアリティを設定した場合は、図示していないが別途設けられたローカル監視装置用監視対象シビアリティ設定部に監視対象設定要求が送出される。従って、集中監視装置とローカル監視装置とで独立したシビアリティ設定がなされることとなり、ローカル監視装置のローカル監視画面にはローカル用の制限による表示、集中監視装置には集中用の制限による表示がなされる。
【０１９５】
また、ローカル監視画面インタフェース部２６は、詳細イベント処理部２２からのイベント通知受信時（▲４▼）、監視対象シビアリティ設定部２８１に設定された監視対象シビアリティを参照（▲２▼”  ）し、状態変化があった監視項目のシビアリティが、設定された監視対象シビアリティ未満であった場合、集中監視装置１のローカル監視画面表示アプレット１４Ｂへのイベント通知（▲４▼−Ｂ）の通知は行わない。
【０１９６】
図２７はローカル監視装置のローカル監視画面上での制御操作時の処理フローを示す。ローカル監視装置２の保守者による制御操作（▲１▼）を受けたローカル監視画面表示アプレット２４は、ローカル監視画面インタフェース部２６を介し（▲２▼）て制御通知を設定・制御処理部２８へ送出（▲３▼）する。
【０１９７】
制御通知を受け取った設定・制御処理部２８は、被監視装置インタフェース部２５２を介し（  ▲４▼−Ａ）、該当の被監視装置３１  〜３ｍ  へ制御要求を送出（▲５▼−Ａ）するとともに、操作記録部２３に対して制御通知を送出（▲４▼−Ｂ）する。操作記録部２３は、受け取った制御通知がローカル監視装置２からのものであればローカル監視装置用の操作履歴部２３２の操作履歴を更新（▲５▼−Ｂ）する。
【０１９８】
図２８は集中監視装置１上のローカル監視画面１１Ｂから制御操作を行った際の処理フローである。保守者からの制御操作（▲１▼）を受けた集中監視装置１のローカル監視画面表示アプレット１４Ｂは、ローカル監視装置２に対して、ローカル監視画面インタフェース部２６を介し（▲２▼）て制御通知を設定・制御処理部２８へ送出（▲３▼）する。
【０１９９】
設定・制御処理部２８は、被監視装置インタフェース部２５２を介し（▲４▼−Ａ）て受け取った制御通知（▲３▼）を該当の被監視装置３１  〜３ｍ  へ転送する（▲５▼−Ａ）とともに、操作記録部２３に対しても転送し（▲４▼−Ｂ）、操作記録部２３は受け取った制御通知が集中監視装置１からのものであれば集中監視装置用の操作履歴部２３１の操作履歴を更新（▲５▼−Ｂ）する。
【０２００】
また、設定・制御処理部２８は、集中監視装置インタフェース部２５１を介し（▲４▼−Ｃ）て集中監視装置１へ制御通知を送出する（▲５▼−Ｂ）。集中監視装置１において、ローカル監視装置インタフェース部１５１を介し（▲５▼−Ｂ）、設定・制御処理部１８は制御通知を受け取り（▲６▼）、受け取った制御通知を操作記録部１３へ転送する（▲７▼）。操作記録部８２は受け取った制御通知に従い、操作履歴部１３１の操作履歴を更新する（▲８▼）。
【０２０１】
なお、本発明の実施の形態において、監視画面はディスプレイ装置による表示出力に限らず、プリントアウトによる出力等他の任意の表示出力装置により表示させる構成とすることができる。
【０２０２】
また、集中監視装置とローカル監視装置とによる階層構造の管理システム以外に、階層構造の無い複数の監視装置により被監視装置を監視するシステムにおける監視装置間の監視情報管理を同様な手段により行うことができる。
【０２０３】
更に、ローカル監視装置に記憶された監視情報に反映させたい操作として、確認操作や制御操作に限らず、情報の書換え、マーキング等を含む監視操作を同様な手段により反映させることができる。
【０２０４】
【発明の効果】
以上説明したように、本発明によれば、ローカル監視装置内で、ローカル監視装置に表示するローカル監視画面用の状態変化情報と集中監視装置に表示するローカル監視画面用の状態変化情報とを分けて管理し、ローカル監視装置又は集中監視装置での状態変化情報の確認操作が行われた際に、確認操作通知情報に操作した監視装置の情報を付加し、ローカル監視装置または集中監視装置のどちらで確認操作が行われても、ローカル監視装置内で管理する状態変化情報を、確認操作が行われた監視装置に対応する状態変化情報だけを更新することにより、操作していない監視装置の画面に影響を及ぼすことはなく、操作結果を正しく表示することができる。
【０２０５】
また、集中監視装置で確認操作が行われた場合には、確認操作通知に従い集中監視装置内の状態変化情報を更新して集中監視画面に反映させ、同じ確認操作通知をローカル監視装置に送信して、ローカル監視装置内の集中監視装置用の状態変化情報を更新して集中監視装置に表示されるローカル監視画面に反映させることにより、集中監視装置で表示している集中監視画面とローカル監視画面との間で、確認済みの状態変化情報を一致させることができる。
【０２０６】
また、状態変化情報を分類毎に通番を付して管理することにより、保守者は状態変化情報を分類毎に確認操作し、該確認操作に応じた操作結果を正しく表示することができ、また、集中監視装置に反映する状態変化情報に絞り込み用の制限を設定した場合に、ローカル監視装置は該設定情報に従って、集中監視装置用の状態変化情報を、ローカル監視装置用の状態変化情報とは独立して管理することにより、ローカル監視装置と集中監視装置とで絞り込み用の制限を個別に設定することができ、かつ、集中監視装置では、ローカル監視画面と集中監視画面とで表示情報を一致させることができる。
【０２０７】
さらに、ローカル監視装置は、集中監視装置及びローカル監視装置による制御操作の履歴を個別に記録することにより、集中監視装置及びローカル監視装置による操作履歴を独立して管理することができる。
【０２０８】
従って、詳細な管理機能の実処理はローカル監視装置で行い、集約情報の管理機能の実処理は集中監視装置で行う複数階層管理システムにおいて、集中監視装置では、集約情報と詳細情報の両者を管理することができ、しかも、被監視装置の状態変化管理や操作記録等の管理は、集中監視装置とローカル監視装置で個別に行うことができ、管理機能を充実させながら、集中監視装置とローカル監視装置監視装置とを個別にシステム開発することができ、システム開発の労力を軽減することができる。
【図面の簡単な説明】
【図１】本発明の複数階層管理システムの基本構成図である。
【図２】本発明のローカル監視装置における監視画面と主機能部を示す図である。
【図３】本発明の集中監視装置における監視画面と主機能部を示す図である。
【図４】本発明の状態変化発生時のローカル監視装置における処理フロー図である。
【図５】本発明の状態変化発生時の集中監視装置における処理フロー図である。
【図６】本発明のローカル監視装置で確認操作を行ったときの処理フロー図である。
【図７】本発明の集中監視装置のローカル監視画面での確認操作時の集中監視装置における処理フロー図である。
【図８】本発明の集中監視装置のローカル監視画面での確認操作時のローカル監視装置における処理フロー図である。
【図９】本発明の集中監視画面での確認操作時の集中監視装置における処理フロー図である。
【図１０】本発明の集中監視画面での確認操作時のローカル監視装置における処理フロー図である。
【図１１】本発明のローカル監視装置内の各機能ブロックを示す図である。
【図１２】本発明の集中監視装置内の各機能ブロックを示す図である。
【図１３】本発明のローカル監視装置の運用開始操作時の処理フローを示す図である。
【図１４】本発明の集中監視装置の運用開始操作時の処理フロー図である。
【図１５】本発明のローカル監視装置でのローカル監視画面起動時の処理フロー図である。
【図１６】本発明の集中監視装置でのローカル監視画面起動時の処理フロー図である。
【図１７】本発明の集中監視装置での集中監視画面起動時の処理フロー図である。
【図１８】本発明の状態変化発生時の状態変化表示処理フロー図である。
【図１９】本発明のローカル監視装置上のローカル監視画面での状態変化情報リスト表示操作時の処理フロー図である。
【図２０】本発明の集中監視装置のローカル監視画面での状態変化情報リスト表示操作時の処理フロー図である。
【図２１】本発明の集中監視装置の集中監視画面での状態変化情報リスト表示操作時の処理フロー図である。
【図２２】本発明のローカル監視装置のローカル監視画面でのリスト情報の確認操作時の処理フロー図である。
【図２３】本発明の集中監視装置のローカル監視画面での状態変化情報リストの確認操作時の処理フロー図である。
【図２４】本発明の集中監視装置の集中監視画面での状態変化情報リスト確認操作時の処理フローである。
【図２５】本発明の監視対象シビアリティ設定操作時の処理フローである。
【図２６】本発明の監視対象シビアリティ設定時における状態変化発生時の処理フロー図である。
【図２７】本発明のローカル監視装置のローカル監視画面での制御操作時の処理フロー図である。
【図２８】本発明の集中監視装置のローカル監視画面での制御操作時の処理フロー図である。
【図２９】複数階層管理システムの構成図である。
【符号の説明】
１  集中監視装置
１１Ａ  集中監視画面
１１Ｂ１  〜１１Ｂｎ    ローカル監視画面
１２  集約イベント処理部
１３  操作記録部
２１  〜２ｎ    ローカル監視装置
２１１  〜２１ｎ    ローカル監視画面
２０  共通部
２２  詳細イベント処理部
２２１  集中監視装置用の状態変化情報詳細テーブル
２２２  ローカル監視装置用の状態変化情報詳細テーブル
２３  操作記録部
２３１  集中監視装置用の操作履歴部
２３２  ローカル監視装置用の操作履歴部
３１  〜３ｍ    被監視装置
【図１】
0003572571.tif 000009
【図２】
0003572571.tif 000010
【図３】
0003572571.tif 000011
【図４】
0003572571.tif 000012
【図５】
0003572571.tif 000013
【図６】
0003572571.tif 000014
【図７】
0003572571.tif 000015
【図８】
0003572571.tif 000016
【図９】
0003572571.tif 000017
【図１０】
0003572571.tif 000018
【図１１】
0003572571.tif 000019
【図１２】
0003572571.tif 000020
【図１３】
0003572571.tif 000021
【図１４】
0003572571.tif 000022
【図１５】
0003572571.tif 000023
【図１６】
0003572571.tif 000024
【図１７】
0003572571.tif 000025
【図１８】
0003572571.tif 000026
【図１９】
0003572571.tif 000027
【図２０】
0003572571.tif 000028
【図２１】
0003572571.tif 000029
【図２２】
0003572571.tif 000030
【図２３】
0003572571.tif 000031
【図２４】
0003572571.tif 000032
【図２５】
0003572571.tif 000033
【図２６】
0003572571.tif 000034
【図２７】
0003572571.tif 000035
【図２８】
0003572571.tif 000036
【図２９】
0003572571.tif 000037